(57)【要約】【課題】  液晶装置等の電気光学装置において、二つの走査線駆動回路へ供給される各種信号における信号遅延や信号なまりを低減し、高品位の画像表示を行う。【解決手段】  複数の走査線駆動用配線は夫々、周辺領域のうちデータ線駆動回路よりも基板の縁に近い側の領域部分において二つに分岐して第１の分岐配線部分が一方の走査線駆動回路へ引き回されていると共に第２の分岐配線部分が他方の走査線駆動回路へ引き回されている。【選択図】  図３
2006178022.tif 000002
【特許請求の範囲】
【請求項１】
基板上に、
画像表示領域に配列されており画素電極を夫々有する複数の画素部と、
前記画像表示領域の周辺に位置する周辺領域において前記基板の第１辺に隣接する一対の第２辺に沿って夫々配置されており走査線を介して前記画素部を駆動するための二つの走査線駆動回路と、
前記周辺領域において前記第１辺に沿って配置されておりデータ線を介して前記画素部を駆動するためのデータ線駆動回路と、
前記周辺領域において前記第１辺に沿って配列された複数の外部回路接続端子と、
前記複数の外部回路接続端子から前記走査線駆動回路へ引き回される複数の走査線駆動回路用配線及び前記データ線駆動回路へ引き回される複数のデータ線駆動回路用配線を含む複数の引回配線と
を備え、
前記複数の走査線駆動用配線の少なくとも一部は夫々、前記周辺領域のうち前記データ線駆動回路よりも前記第１辺における前記基板の縁に近い側の領域部分において二つに分岐して第１の分岐配線部分が前記二つの走査線駆動回路の一方へ引き回されていると共に第２の分岐配線部分が前記二つの走査線駆動回路の他方へ引き回されていることを特徴とする電気光学装置。
【請求項２】
前記複数のデータ線駆動用配線の少なくとも一部は夫々、前記周辺領域のうち前記データ線駆動回路よりも前記第１辺における前記基板の縁に近い側の領域部分において二つに分岐して一方の分岐配線部分が前記データ線駆動回路における前記第２辺に沿った辺の一方へ引き回されていると共に他方の分岐配線部分が前記データ線駆動回路における前記第２辺に沿った辺の他方へ引き回されていることを特徴とする請求項１に記載の電気光学装置。
【請求項３】
前記第１及び第２の分岐配線部分の一方は、前記複数の走査線駆動回路用配線の夫々のうち前記外部回路接続端子に直接接続された分岐前の配線部分と同一の第１導電膜から形成されており、
前記第１及び第２の分岐配線部分の他方は、前記第１導電膜に対して層間絶縁膜を介して別層として形成された第２導電膜から形成されていることを特徴とする請求項１又は２に記載の電気光学装置。
【請求項４】
前記第１及び第２の分岐配線部分の他方は、前記第１及び第２の分岐配線部分の一方に対して前記層間絶縁膜に開孔されたコンタクトホールを介して電気的に接続されていることを特徴とする請求項３に記載の電気光学装置。
【請求項５】
前記第１及び第２の分岐配線部分の他方は、前記基板上で平面的に見て、前記複数の引回配線の一部と前記層間絶縁膜を介して交差することを特徴とする請求項３又は４に記載の電気光学装置。
【請求項６】
前記第１及び第２導電膜は、相互に異なる材料からなり、
前記第１及び第２の分岐配線部分は、相互に配線幅、配線厚及び配線長が同じであると仮定した場合に比べて、配線抵抗及び配線インピーダンスのうち少なくとも一方が相互に近付くように、前記配線幅、前記配線厚及び前記配線長のうち少なくとも一つが調整されていることを特徴とする請求項３から５のいずれか一項に記載の電気光学装置。
【請求項７】
前記第１及び第２導電膜は、相互に同一材料からなり、
前記第１及び第２の分岐配線部分は、配線長が相互に異なると共に相互に配線幅及び配線厚が同じであると仮定した場合に比べて、配線抵抗及び配線インピーダンスのうち少なくとも一方が相互に近付くように、前記配線幅及び前記配線厚のうち少なくとも一つが調整されていることを特徴とする請求項３から５のいずれか一項に記載の電気光学装置。
【請求項８】
前記第１及び第２導電膜は、相互に同一材料からなり、
前記第１及び第２の分岐配線部分は、前記コンタクトホールの存在に起因する配線抵抗の相異を相殺するように配線幅、配線厚及び配線長のうち少なくとも一つが相互に異なることを特徴とする請求項４に記載の電気光学装置。
【請求項９】
前記第１及び第２導電膜は、相互に同一材料からなり、
前記第１及び第２の分岐配線部分は、前記コンタクトホールの存在に起因する配線抵抗の相異及び前記コンタクトホールの存在に起因しない配線抵抗の相異の両者を相殺するように、配線幅、配線厚及び配線長のうち少なくとも一つが相互に異なることを特徴とする請求項４に記載の電気光学装置。
【請求項１０】
前記複数の外部回路接続端子のうち、前記複数の走査線駆動回路用配線に夫々接続された複数の走査線駆動回路用端子は、前記複数のデータ線駆動回路用配線に夫々接続された複数のデータ線駆動回路用端子よりも、前記第１辺において中央寄りに配置されていることを特徴とする請求項１から９のいずれか一項に記載の電気光学装置。
【請求項１１】
基板上に、
画像表示領域に配列されており画素電極を夫々有する複数の画素部と、
前記画像表示領域の周辺に位置する周辺領域において前記基板の第１辺に隣接する一対の第２辺に沿って夫々配置されており走査線を介して前記画素部を駆動するための二つの走査線駆動回路と、
前記周辺領域において前記第１辺に沿って配置されておりデータ線を介して前記画素部を駆動するためのデータ線駆動回路と、
前記周辺領域において前記第１辺に沿って配列された複数の外部回路接続端子と、
前記複数の外部回路接続端子から前記走査線駆動回路へ引き回される複数の走査線駆動回路用配線及び前記データ線駆動回路へ引き回される複数のデータ線駆動回路用配線を含む複数の引回配線と
を備え、
前記複数のデータ線駆動用配線の少なくとも一部は夫々、前記周辺領域のうち前記データ線駆動回路よりも前記第１辺における前記基板の縁に近い側の領域部分において二つに分岐して一方の分岐配線部分が前記データ線駆動回路における前記第２辺に沿った辺の一方へ引き回されていると共に他方の分岐配線部分が前記データ線駆動回路における前記第２辺に沿った辺の他方へ引き回されていることを特徴とする電気光学装置。
【請求項１２】
基板上に、
画像表示領域に配列されており画素電極を夫々有する複数の画素部と、
前記画像表示領域の周辺に位置する周辺領域において前記基板の第１辺に隣接する一対の第２辺に沿って夫々配置されており走査線を介して前記画素部を駆動するための二つの走査線駆動回路と、
前記周辺領域において前記第１辺に沿って配置されておりデータ線を介して前記画素部を駆動するためのデータ線駆動回路と、
前記周辺領域において前記第１辺に沿って配列された複数の外部回路接続端子と、
前記複数の外部回路接続端子から前記走査線駆動回路へ引き回される複数の走査線駆動回路用配線及び前記データ線駆動回路へ引き回される複数のデータ線駆動回路用配線を含む複数の引回配線と
を備え、
前記複数の走査線駆動用配線の少なくとも一部は夫々、前記周辺領域のうち前記データ線駆動回路よりも前記第１辺における前記基板の縁に近い側の領域部分において二つに分岐して第１の分岐配線部分が前記二つの走査線駆動回路の一方へ引き回されていると共に第２の分岐配線部分が前記二つの走査線駆動回路の他方へ引き回されていることを特徴とする電気光学装置用基板。
【請求項１３】
前記複数のデータ線駆動用配線の少なくとも一部は夫々、前記周辺領域のうち前記データ線駆動回路よりも前記第１辺における前記基板の縁に近い側の領域部分において二つに分岐して一方の分岐配線部分が前記データ線駆動回路における前記第２辺に沿った辺の一方へ引き回されていると共に他方の分岐配線部分が前記データ線駆動回路における前記第２辺に沿った辺の他方へ引き回されていることを特徴とする請求項１２に記載の電気光学装置用基板。
【請求項１４】
基板上に、
画像表示領域に配列されており画素電極を夫々有する複数の画素部と、
前記画像表示領域の周辺に位置する周辺領域において前記基板の第１辺に隣接する一対の第２辺に沿って夫々配置されており走査線を介して前記画素部を駆動するための二つの走査線駆動回路と、
前記周辺領域において前記第１辺に沿って配置されておりデータ線を介して前記画素部を駆動するためのデータ線駆動回路と、
前記周辺領域において前記第１辺に沿って配列された複数の外部回路接続端子と、
前記複数の外部回路接続端子から前記走査線駆動回路へ引き回される複数の走査線駆動回路用配線及び前記データ線駆動回路へ引き回される複数のデータ線駆動回路用配線を含む複数の引回配線と
を備え、
前記複数のデータ線駆動用配線の少なくとも一部は夫々、前記周辺領域のうち前記データ線駆動回路よりも前記第１辺における前記基板の縁に近い側の領域部分において二つに分岐して一方の分岐配線部分が前記データ線駆動回路における前記第２辺に沿った辺の一方へ引き回されていると共に他方の分岐配線部分が前記データ線駆動回路における前記第２辺に沿った辺の他方へ引き回されていることを特徴とする電気光学装置用基板。
【請求項１５】
請求項１から１１のいずれか一項に記載の電気光学装置を具備してなることを特徴とする電子機器。
【発明の詳細な説明】
【技術分野】
【０００１】
本発明は、例えば液晶装置等の電気光学装置、該電気光学装置を製造するのに用いられる電気光学装置用基板、及び該電気光学装置を備えた、例えば液晶プロジェクタ等の電子機器の技術分野に関する。
【背景技術】
【０００２】
この種の電気光学装置では、画素電極等の表示用電極や、これを駆動するためのデータ線駆動回路、走査線駆動回路等の回路部が設けられた基板上に、その一辺に沿って、複数の外部回路接続端子が配列されている。このような外部回路接続端子には、フレキシブルコネクタ等が接続され、当該電気光学装置の動作時には、外部回路からフレキシブルコネクタ等を介して、各種信号が外部回路接続端子に供給されることになる。基板上には更に、これら複数の外部回路接続端子から走査線駆動回路やデータ線駆動回路等の回路部へと引き回される複数の引回配線が配線される。ここで、データ線駆動回路は、基板の一辺に沿って設けられ、走査線駆動回路は、その一辺の両側に位置する二つの辺に沿って、二つ設けられる或いは二つに分割して設けられる場合が多い。このように走査線駆動回路が、画像表示領域の両側に設けられる場合には、基板上で各種引回配線が交差しないようにとの平面レイアウトにおける基本的な制約から、外部回路接続端子から走査線駆動回路へと引き回されるべき走査線駆動回路用配線は、一方の走査線駆動回路の内部を通過して、データ線駆動回路が設けられた一辺（即ち、外部回路接続端子が配列された側の一辺）と画像表示領域を介して対向する他の辺に沿って、他方の走査線駆動回路へ至るように引き回されている（特許文献１参照）。これにより、外部回路接続端子からデータ線駆動回路へと引き回されるべきデータ線駆動回路用配線と、走査線駆動回路用配線とが、交差することを避けることができ、更に、走査線駆動回路を動作させるための、制御信号、クロック信号、電源信号等の各種信号を、両方の走査線駆動回路に同時に供給することが可能となるとされている。
【０００３】
【特許文献１】特開平５−１８１１５３号公報
【発明の開示】
【発明が解決しようとする課題】
【０００４】
しかしながら、より高品位の画像表示を行うためには、画像表示領域の両側に配置された二つの走査線駆動回路或いは画像表示領域の両側に分割配置された二つの走査線駆動回路に対して、相互に信号遅延が無く且つ信号なまりがない各種信号を供給することが望ましい。しかしながら、データ線駆動回路が設けられた一辺（即ち、外部回路接続端子が配列された側の一辺）と画像表示領域を介して対向する他の辺に沿って、二つの走査線駆動回路をつなぐ引回配線を、これら二つの走査線駆動回路の間に介在させることにより、該引回配線における配線抵抗や配線インピーダンスにより、該引回配線を介することなく直接に外部回路接続端子から各種信号を受ける一方の走査線駆動回路に対して、該引回配線を介して各種信号を受ける他方の走査線駆動回路で、受ける各種信号に信号遅延や信号なまりが生じてしまう。この結果、画像表示領域の面内に表示ムラが発生しかねないという技術的問題点がある。
【０００５】
加えて、通常は外部回路接続端子が配列された一辺に沿うように一つのみ設けられるデータ線駆動回路に供給される電源信号等の各種信号についても同様に、それらを供給するための引回配線の引き回し方によっては、信号なまりや信号遅延の悪影響が係る一辺に沿って不均一に生じることで、全体としてデータ線駆動回路の動作が不安定になる等の問題点がある。
【０００６】
本発明は上記問題点に鑑みてなされたものであり、例えば二つの走査線駆動回路へ供給される各種信号や、データ線駆動回路へ供給される各種信号における、信号遅延や信号なまりが低減されており、高品位の画像表示を行うことが可能な電気光学装置、そのような電気光学装置を製造するために用いられる電気光学装置用基板、及びそのような電気光学装置を具備してなる電子機器を提供することを課題とする。
【課題を解決するための手段】
【０００７】
本発明の電気光学装置は上記課題を解決するために、基板上に、画像表示領域に配列されており画素電極を夫々有する複数の画素部と、前記画像表示領域の周辺に位置する周辺領域において前記基板の第１辺に隣接する一対の第２辺に沿って夫々配置されており走査線を介して前記画素部を駆動するための二つの走査線駆動回路と、前記周辺領域において前記第１辺に沿って配置されておりデータ線を介して前記画素部を駆動するためのデータ線駆動回路と、前記周辺領域において前記第１辺に沿って配列された複数の外部回路接続端子と、前記複数の外部回路接続端子から前記走査線駆動回路へ引き回される複数の走査線駆動回路用配線及び前記データ線駆動回路へ引き回される複数のデータ線駆動回路用配線を含む複数の引回配線とを備え、前記複数の走査線駆動用配線の少なくとも一部は夫々、前記周辺領域のうち前記データ線駆動回路よりも前記第１辺における前記基板の縁に近い側の領域部分において二つに分岐して第１の分岐配線部分が前記二つの走査線駆動回路の一方へ引き回されていると共に第２の分岐配線部分が前記二つの走査線駆動回路の他方へ引き回されている。
【０００８】
本発明の電気光学装置によれば、その動作時には、外部回路から外部回路接続端子及び走査線駆動回路用配線を経由して、クロック信号、制御信号、電源信号等の各種信号が走査線駆動回路に供給される。これと並行して、外部回路から外部回路接続端子及びデータ線駆動回路用配線を経由して、クロック信号、制御信号、電源信号、画像信号等の各種信号がデータ線駆動回路に供給される。これらにより、走査線駆動回路により走査線を介して走査信号が画素部に供給されると共に、データ線駆動回路によりデータ線を介して画像信号が画素部に供給され、例えば液晶等の電気光学物質を各画素部で駆動することで、アクティブマトリクス駆動が行なわれる。尚、このような走査線及びデータ線は、例えば、基板上に相互に交差するように且つ夫々複数配線される。また、このような画素部は、例えば、画素電極と、走査線にゲートが接続され且つデータ線から供給される画像信号を走査線から供給される走査信号に応じて画素電極へ選択的に供給する画素スイッチング用のＴＦＴとを有する。
【０００９】
本発明の電気光学装置では特に、このような走査線駆動回路は、例えば画像表示領域を挟んで左右に位置する辺である、一対の第２辺に沿って夫々配置されている二つの走査線駆動回路からなる。ここに本発明に係る「二つの走査線駆動回路」としては、画像表示領域の両側に位置する一対の第２辺に分割された走査線駆動回路であると考えることもでき、同一構成を有する走査線駆動回路が一対の第２辺に夫々設けられたと考えることもできる。このように構成された二つの走査線駆動回路まで引き回される引回配線である、複数の走査線駆動用配線の少なくとも一部（即ち、１本又は複数本若しくは全部）は夫々、データ線駆動回路よりも一辺における基板の縁に近い側の領域部分において二つに分岐している。そして、第１の分岐配線部分が、二つの走査線駆動回路の一方へ引き回されていると共に第２の分岐配線部分が二つの走査線駆動回路の他方へ引き回されている。よって、画像表示領域を挟んで、第１辺に対向する第３辺に沿った周辺領域部分に、二つの走査線駆動回路間をつなぐように配線された引回配線を介して、クロック信号、制御信号、電源信号等の走査線駆動回路用の各種信号を、一方の走査線駆動回路を経由して他方の走査線駆動回路へ引き回す必要がなくなる。よって、このような第３辺に配線された引回配線による、二つの走査線駆動回路に至るまでの引回配線に係る配線抵抗の相異や配線インピーダンスの相異、言い換えれば、二つの走査線駆動回路相互間における信号遅延の発生や、一方の走査線駆動回路における相対的に大きな信号なまりを、低減することができる。即ち、二つの走査線駆動回路に対して、殆ど同じような各種信号を第１及び第２の分岐配線部分を介して供給することが可能となる。これにより、画像表示領域における一方又は他方の走査線駆動回路寄りであるか否かに寄らずに、均一な画像を表示することが容易となり、画像表示領域における面内の表示ムラを低減することが可能となる。
【００１０】
以上の結果、本発明の電気光学装置によれば、高品位の画像表示を行うことが可能となる。
【００１１】
本発明の電気光学装置の一態様では、前記複数のデータ線駆動用配線の少なくとも一部は夫々、前記周辺領域のうち前記データ線駆動回路よりも前記第１辺における前記基板の縁に近い側の領域部分において二つに分岐して一方の分岐配線部分が前記データ線駆動回路における前記第２辺に沿った辺の一方へ引き回されていると共に他方の分岐配線部分が前記データ線駆動回路における前記第２辺に沿った辺の他方へ引き回されている。
【００１２】
この態様によれば、データ線駆動回路まで引き回される引回配線である、複数のデータ線駆動用配線の少なくとも一部（即ち、１本又は複数本若しくは全部）は夫々、データ線駆動回路よりも一辺における基板の縁に近い側の領域部分において二つに分岐している。そして、一方の分岐配線部分が、データ線駆動回路における第２辺に沿った辺の一方へ引き回されていると共に他方の分岐配線部分がデータ線駆動回路における第２辺に沿った辺の他方へ引き回されている。よって、データ線駆動回路における第２辺に沿った辺の両方の間をつなぐように、データ線駆動回路の内部に配線された引回配線を介して、クロック信号、制御信号、電源信号等の各種信号を、データ線駆動回路における第２辺に沿った辺の一方を経由して他方へ引き回す必要がなくなる。よって、このようなデータ線駆動回路の内部に配線された引回配線による、データ線駆動回路における第２辺に沿った辺の両方に至るまでの配線抵抗の相異や配線インピーダンスの相異、言い換えれば、データ線駆動回路における第２辺に沿った辺の両方の相互間における信号レベルの相違を低減することができる。即ち、データ線駆動回路における第２辺に沿った辺の両方に対して、殆ど同じような各種信号を一方及び他方の分岐配線部分を介して供給することが可能となる。特に同じような電源信号をデータ線駆動回路における第２辺に沿った辺の両方に対して供給することにより、データ線駆動回路の動作を安定させることができる。
【００１３】
本発明の電気光学装置の他の態様では、前記第１及び第２の分岐配線部分の一方は、前記複数の走査線駆動回路用配線の夫々のうち前記外部回路接続端子に直接接続された分岐前の配線部分と同一の第１導電膜から形成されており、前記第１及び第２の分岐配線部分の他方は、前記第１導電膜に対して層間絶縁膜を介して別層として形成された第２導電膜から形成されている。
【００１４】
この態様によれば、第１及び第２の分岐配線部分は、別層として形成された第１及び第２導電膜から形成されている。従って、分岐後において第１及び第２の分岐配線部分のいずれかは、他の引回し配線の下層側や上層側を経由して、基板上で平面的に見て該他の配線と交差する平面レイアウトを採ることが可能となり、比較的容易にして設計自由度が格段に増大する。
【００１５】
尚、第１及び第２の分岐配線部分は、同一層たる一枚の導電膜から形成されてもよい。例えば、第１及び第２の分岐配線部分が、第１の導電膜から形成され、分岐されないその他の配線或いは配線部分については、これと異なる第２の導電膜から形成される構成を採れば、前者と後者とが交差する個所で配線間ショートが生じることはない。
【００１６】
この第１及び第２導電膜に係る態様では、前記第１及び第２の分岐配線部分の他方は、前記第１及び第２の分岐配線部分の一方に対して前記層間絶縁膜に開孔されたコンタクトホールを介して電気的に接続されているように構成してもよい。
【００１７】
このように構成すれば、走査線駆動回路用配線について、分岐前の配線部分から第１及び第２の分岐配線部分への電気的な接続を、確実にとることが可能となる。
【００１８】
この第１及び第２導電膜に係る態様では、前記第１及び第２の分岐配線部分の他方は、前記基板上で平面的に見て、前記複数の引回配線の一部と前記層間絶縁膜を介して交差するように構成してもよい。
【００１９】
このように構成すれば、他の引回し配線の配線レイアウトに寄らずに自由に、第１及び第２の分岐配線部分の他方の平面レイアウトを設定することができるので、実践上大変便利である。
【００２０】
この第１及び第２導電膜に係る態様では、前記第１及び第２導電膜は、相互に異なる材料からなり、前記第１及び第２の分岐配線部分は、相互に配線幅、配線厚及び配線長が同じであると仮定した場合に比べて、配線抵抗及び配線インピーダンスのうち少なくとも一方が相互に近付くように、前記配線幅、前記配線厚及び前記配線長のうち少なくとも一つが調整されているように構成されてもよい。
【００２１】
このように構成すれば、第１及び第２の分岐配線部分の配線抵抗や配線インピーダンスを揃えることができ、或いは好ましくは一致させることができるので、二つの走査線駆動回路に対して、信号遅延や信号なまりが無く、殆ど同一又は実用上完全に同一の各種信号を引回配線を介して供給することが可能となる。しかも、第１及び第２導電膜は、相互に異なる材料からなるので、材料選択の余地が広がり、設計自由度も増大する。
【００２２】
或いはこの第１及び第２導電膜に係る態様では、前記第１及び第２導電膜は、相互に同一材料からなり、前記第１及び第２の分岐配線部分は、配線長が相互に異なると共に相互に配線幅及び配線厚が同じであると仮定した場合に比べて、配線抵抗及び配線インピーダンスのうち少なくとも一方が相互に近付くように、前記配線幅及び前記配線厚のうち少なくとも一つが調整されているように構成してもよい。
【００２３】
このように構成すれば、第１及び第２の分岐配線部分の配線抵抗や配線インピーダンスを揃えることができ、或いは好ましくは一致させることができるので、二つの走査線駆動回路に対して、信号遅延や信号なまりが無く、殆ど同一又は実用上完全に同一の各種信号を引回配線を介して供給することが可能となる。しかも、第１及び第２導電膜は、同一材料からなるので、製造が簡単であり、且つ例えばアルミニウム（Ａｌ）の如き、安価で低抵抗である材料を、両導電膜として利用することができ、実践上大変有利である。
【００２４】
前述した第１及び第２導電膜並びにコンタクトホールに係る態様では、前記第１及び第２導電膜は、相互に同一材料からなり、前記第１及び第２の分岐配線部分は、前記コンタクトホールの存在に起因する配線抵抗の相異を相殺するように配線幅、配線厚及び配線長のうち少なくとも一つが相互に異なるように構成してもよい。
【００２５】
このように構成すれば、コンタクトホールの存在に起因した配線抵抗の相異までも考慮した上で、第１及び第２の分岐配線部分の配線抵抗や配線インピーダンスを揃えることができ、或いは好ましくは一致させることができるので、二つの走査線駆動回路に対して、信号遅延や信号なまりが無く、殆ど同一又は実用上完全に同一の各種信号を引回配線を介して供給することが可能となる。しかも、第１及び第２導電膜は、同一材料からなるので、製造が簡単であり、且つ例えばアルミニウム（Ａｌ）の如き、安価で低抵抗である材料を、両導電膜として利用することができ、実践上大変有利である。
【００２６】
或いは、前述した第１及び第２導電膜並びにコンタクトホールに係る態様では、前記第１及び第２導電膜は、相互に同一材料からなり、前記第１及び第２の分岐配線部分は、前記コンタクトホールの存在に起因する配線抵抗の相異及び前記コンタクトホールの存在に起因しない配線抵抗の相異の両者を相殺するように、配線幅、配線厚及び配線長のうち少なくとも一つが相互に異なるように構成してもよい。
【００２７】
このように構成すれば、コンタクトホールの存在に起因した配線抵抗及びコンタクトホールの存在に起因しない配線抵抗の相異の両者を考慮した上で、第１及び第２の分岐配線部分の配線抵抗や配線インピーダンスを揃えることができ、或いは好ましくは一致させることができるので、二つの走査線駆動回路に対して、信号遅延や信号なまりが無く、殆ど同一又は実用上完全に同一の各種信号を引回配線を介して供給することが可能となる。
【００２８】
本発明の電気光学装置の他の態様では、前記複数の外部回路接続端子のうち、前記複数の走査線駆動回路用配線に夫々接続された複数の走査線駆動回路用端子は、前記複数のデータ線駆動回路用配線に夫々接続された複数のデータ線駆動回路用端子よりも、前記第１辺において中央寄りに配置されている。
【００２９】
この態様によれば、複数の走査線駆動回路用端子は、複数のデータ線駆動回路用端子よりも第１辺において中央寄りに配置されているので、複数の走査線駆動回路用端子が第１辺のいずれかの端寄りに配置されている場合と比較して、第１辺から第２辺に向けて両側に分岐される第１及び第２の分岐配線部分の配線抵抗や配線インピーダンスを、揃えることが可能となる。即ち、比較的容易にして、二つの走査線駆動回路に対して、信号遅延や信号なまりが低減された各種信号を引回配線を介して供給することが可能となる。
【００３０】
本発明の他の電気光学装置は上記課題を解決するために、基板上に、画像表示領域に配列されており画素電極を夫々有する複数の画素部と、前記画像表示領域の周辺に位置する周辺領域において前記基板の第１辺に隣接する一対の第２辺に沿って夫々配置されており走査線を介して前記画素部を駆動するための二つの走査線駆動回路と、前記周辺領域において前記第１辺に沿って配置されておりデータ線を介して前記画素部を駆動するためのデータ線駆動回路と、前記周辺領域において前記第１辺に沿って配列された複数の外部回路接続端子と、前記複数の外部回路接続端子から前記走査線駆動回路へ引き回される複数の走査線駆動回路用配線及び前記データ線駆動回路へ引き回される複数のデータ線駆動回路用配線を含む複数の引回配線とを備え、前記複数のデータ線駆動用配線の少なくとも一部は夫々、前記周辺領域のうち前記データ線駆動回路よりも前記第１辺における前記基板の縁に近い側の領域部分において二つに分岐して一方の分岐配線部分が前記データ線駆動回路における前記第２辺に沿った辺の一方へ引き回されていると共に他方の分岐配線部分が前記データ線駆動回路における前記第２辺に沿った辺の他方へ引き回されている。
【００３１】
本発明の他の電気光学装置によれば、前述した本発明の電気光学装置の場合と概ね同様に動作する。ここで特に、データ線駆動回路まで引き回される引回配線である、複数のデータ線駆動用配線の少なくとも一部（即ち、１本又は複数本若しくは全部）は夫々、データ線駆動回路よりも一辺における基板の縁に近い側の領域部分において二つに分岐している。そして、一方の分岐配線部分が、データ線駆動回路における第２辺に沿った辺の一方へ引き回されていると共に他方の分岐配線部分がデータ線駆動回路における第２辺に沿った辺の他方へ引き回されている。よって、データ線駆動回路における第２辺に沿った辺の両方の間をつなぐように、データ線駆動回路の内部に配線された引回配線を介して、クロック信号、制御信号、電源信号等の各種信号を、データ線駆動回路における第２辺に沿った辺の一方を経由して他方へ引き回す必要がなくなる。よって、このようなデータ線駆動回路の内部に配線された引回配線による、データ線駆動回路における第２辺に沿った辺の両方に至るまでの配線抵抗の相異や配線インピーダンスの相異、言い換えれば、データ線駆動回路における第２辺に沿った辺の両方の相互間における信号レベルの相違を低減することができる。即ち、データ線駆動回路における第２辺に沿った辺の両方に対して、殆ど同じような各種信号を一方及び他方の分岐配線部分を介して供給することが可能となる。特に同じような電源信号をデータ線駆動回路における第２辺に沿った辺の両方に対して供給することにより、データ線駆動回路の動作を安定させることができる。
【００３２】
以上の結果、本発明の他の電気光学装置によれば、高品位の画像表示を行うことが可能となる。
【００３３】
本発明の電気光学装置用基板は上記課題を解決するために、基板上に、画像表示領域に配列されており画素電極を夫々有する複数の画素部と、前記画像表示領域の周辺に位置する周辺領域において前記基板の第１辺に隣接する一対の第２辺に沿って夫々配置されており走査線を介して前記画素部を駆動するための二つの走査線駆動回路と、前記周辺領域において前記第１辺に沿って配置されておりデータ線を介して前記画素部を駆動するためのデータ線駆動回路と、前記周辺領域において前記第１辺に沿って配列された複数の外部回路接続端子と、前記複数の外部回路接続端子から前記走査線駆動回路へ引き回される複数の走査線駆動回路用配線及び前記データ線駆動回路へ引き回される複数のデータ線駆動回路用配線を含む複数の引回配線とを備え、前記複数の走査線駆動用配線の少なくとも一部は夫々、前記周辺領域のうち前記データ線駆動回路よりも前記第１辺における前記基板の縁に近い側の領域部分において二つに分岐して第１の分岐配線部分が前記二つの走査線駆動回路の一方へ引き回されていると共に第２の分岐配線部分が前記二つの走査線駆動回路の他方へ引き回されている。
【００３４】
本発明の電気光学装置用基板によれば、上述した本発明の電気光学装置の場合と同様に、
高品位の画像表示を行うことが可能な電気光学装置を構築することが可能となる。
【００３５】
本発明の電気光学装置用基板の一態様では、前記複数のデータ線駆動用配線の少なくとも一部は夫々、前記周辺領域のうち前記データ線駆動回路よりも前記第１辺における前記基板の縁に近い側の領域部分において二つに分岐して一方の分岐配線部分が前記データ線駆動回路における前記第２辺に沿った辺の一方へ引き回されていると共に他方の分岐配線部分が前記データ線駆動回路における前記第２辺に沿った辺の他方へ引き回されている。
【００３６】
この態様によれば、上述した本発明の電気光学装置の場合と同様に、高品位の画像表示を行うことが可能な電気光学装置を構築することが可能となる。
【００３７】
本発明の他の電気光学装置用基板は上記課題を解決するために、基板上に、画像表示領域に配列されており画素電極を夫々有する複数の画素部と、前記画像表示領域の周辺に位置する周辺領域において前記基板の第１辺に隣接する一対の第２辺に沿って夫々配置されており走査線を介して前記画素部を駆動するための二つの走査線駆動回路と、前記周辺領域において前記第１辺に沿って配置されておりデータ線を介して前記画素部を駆動するためのデータ線駆動回路と、前記周辺領域において前記第１辺に沿って配列された複数の外部回路接続端子と、前記複数の外部回路接続端子から前記走査線駆動回路へ引き回される複数の走査線駆動回路用配線及び前記データ線駆動回路へ引き回される複数のデータ線駆動回路用配線を含む複数の引回配線とを備え、前記複数のデータ線駆動用配線の少なくとも一部は夫々、前記周辺領域のうち前記データ線駆動回路よりも前記第１辺における前記基板の縁に近い側の領域部分において二つに分岐して一方の分岐配線部分が前記データ線駆動回路における前記第２辺に沿った辺の一方へ引き回されていると共に他方の分岐配線部分が前記データ線駆動回路における前記第２辺に沿った辺の他方へ引き回されている。
【００３８】
本発明の他の電気光学装置用基板によれば、上述した本発明の他の電気光学装置の場合と同様に、高品位の画像表示を行うことが可能な電気光学装置を構築することが可能となる。
【００３９】
本発明の電子機器は、上述した本発明の電気光学装置を具備してなるので、高品位の画像を表示可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。また、本発明の電子機器として、例えば、電子ペーパなどの電気泳動装置、電子放出装置（Field Emission Display及びConduction Electron-Emitter Display）等を実現することも可能である。
【００４０】
本発明のこのような作用及び他の利得は次に説明する実施の形態から明らかにされる。
【発明を実施するための最良の形態】
【００４１】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
＜第１実施形態＞
第１実施形態に係る電気光学装置について、図１から図５を参照して説明する。
【００４２】
先ず、図１及び図２を参照して、本実施形態に係る電気光学装置の全体構成について、説明する。ここに図１は、本実施形態に係る電気光学装置の構成を示す平面図であり、図２は、図１のＨ−Ｈ’線での断面図である。
【００４３】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４４】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路３０１が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４５】
図２において、ＴＦＴアレイ基板１０上には、駆動素子である画素スイッチング用のＴＦＴ（Ｔｈｉｎ Ｆｉｌｍ Ｔｒａｎｓｉｓｔｏｒ）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００４６】
次に図３を参照して、走査線駆動用配線及びデータ線駆動回路用配線の平面レイアウトについて説明する。ここに図３は、本実施形態に係る電気光学装置の引回配線の平面レイアウトを説明する平面図である。
【００４７】
図３に示すように、本実施形態では、二つの走査線駆動回路１０４は、ＴＦＴアレイ基板１０の第１辺（図３中、下辺）に隣接する一対の第２辺（図３中、左辺及び右辺）に沿って夫々配置されている。データ線駆動回路１０１と複数の外部回路接続端子１０２は、夫々第１辺（図３中、下辺）に沿って配列されている。複数の外部回路接続端子１０２からは、走査線駆動回路１０４へ引き回される複数の走査線駆動回路用配線１２０とデータ線駆動回路１０１へ引き回される複数のデータ線駆動回路用配線１３０を含む複数の引回配線１４０が引き回されている。
【００４８】
複数の走査線駆動用配線１２０は夫々、周辺領域のうちデータ線駆動回路１０１よりも第１辺（図３中、下辺）におけるＴＦＴアレイ基板１０の縁に近い側の領域部分において二つに分岐して第１の分岐配線部分１２１が二つの走査線駆動回路１０４の一方である、図３中左側に位置する走査線駆動回路１０４ａへ引き回されていると共に、第２の分岐配線部分が二つの走査線駆動回路１０４の他方である、図３中左側に位置する走査線駆動回路１０４ｂへ引き回されている。
【００４９】
複数のデータ線駆動用配線１３０は夫々、周辺領域のうちデータ線駆動回路１０１よりも第１辺（図３中、下辺）におけるＴＦＴアレイ基板１０の縁に近い側の領域部分において二つに分岐して第１の分岐配線部分１３１がデータ線駆動回路１０１の一辺１０１ａ（図３中、左辺）へ引き回されていると共に、第２の分岐配線部分がデータ線駆動回路１０１の他辺１０１ｂ（図３中、右辺）へ引き回されている。
【００５０】
このように構成されているため、本実施形態に係る電気光学装置は、その動作時には、外部回路接続端子１０２にＦＰＣ等を介して接続された外部回路から、外部回路接続端子１０２及び走査線駆動回路用配線１２０を経由して、クロック信号ＣＬＹ、制御信号ＤＩＲＹ、ＤＹ（Ｌ）、電源信号ＶＤＤＹ、ＶＳＳＹ等の各種信号が、走査線駆動回路１０４に供給される。これと並行して、外部回路から外部回路接続端子１０２及びデータ線駆動回路用配線１３０を経由して、クロック信号ＣＬＸ、制御信号ＤＩＲＸ、ＤＸ、電源信号ＶＤＤＸ、ＶＳＳＸ、画像信号ＶＩＤＥＯ等の各種信号がデータ線駆動回路１０１に供給される。これらにより、走査線駆動回路１０４により走査線３ａを介して走査信号が画素部に供給されると共に、データ線駆動回路１０１及びサンプリング回路３０１によりデータ線６ａを介して画像信号ＶＩＤＥＯが画素部に供給され、液晶層５０を各画素部で駆動することで、アクティブマトリクス駆動が行なわれる。
【００５１】
走査線３ａ及びデータ線６ａは、ＴＦＴアレイ基板１０上における画像表示領域１０ａに、相互に交差するように且つ夫々複数配線されている。また、画像表示領域１０ａにマトリクス状に配列される画素部は夫々、例えば、画素毎に設けられた画素電極２１と、走査線３ａにゲートが接続され且つデータ線６ａから供給される画像信号ＶＩＤＥＯを走査線３ａから供給される走査信号に応じて画素電極２１へ選択的に供給する、画素毎に設けられた画素スイッチング用のＴＦＴとを有する。
【００５２】
本実施形態に係る電気光学装置では特に、このような二つの走査線駆動回路１０４ａ及び１０４ｂは、画像表示領域１０ａを挟んで左右に位置する辺である、一対の第２辺（図３中、左辺及び右辺）に沿って夫々配置されている。複数の走査線駆動用配線１２０は夫々、データ線駆動回路１０１よりも第１辺（図３中、下辺）における基板の縁に近い側の領域部分において二つに分岐している。そして、第１の分岐配線部分１２１が、走査線駆動回路１０４ａへ引き回されていると共に第２の分岐配線部分１２２が走査線駆動回路１０４ｂへ引き回されている。
【００５３】
ここで図４に示した本実施形態に係る比較例と比較することで、上述の如く構成された本実施形態の作用効果について検討する。ここに図４は、本実施形態の比較例における図３と同趣旨の平面図である。
【００５４】
図４に示す比較例では、画像表示領域１０ａを挟んで、第１辺（図４中、下辺）に対向する第３辺（図４中、上辺）に沿った周辺領域部分に、二つの走査線駆動回路１０４間をつなぐように引回配線１０５が配線されている。その他の構成については、図３に示した実施形態と概ね同様である。このため、その動作時には、外部回路から外部回路接続端子１０２及び走査線駆動回路用配線１２０を経由して、クロック信号ＣＬＹ、制御信号ＤＩＲＹ、ＤＹ（Ｌ）、電源信号ＶＤＤＹ、ＶＳＳＹ等の各種信号が、走査線駆動回路１０４ａに供給される。この際特に、二つの走査線駆動回路１０４ａと１０４ｂとの間をつなぐように配線されている引回配線１０５介して、これらの各種信号が、走査線駆動回路１０４ａに供給される。
【００５５】
図３に示した本実施形態の電気光学装置では、図４の比較例に比べて、第３辺（図４中、上辺）に配線された引回配線１０５による、二つの走査線駆動回路１０４に至るまでの引回配線に係る配線抵抗の相異や配線インピーダンスの相異、言い換えれば、二つの走査線駆動回路１０４相互間における信号遅延の発生や、一方の走査線駆動回路１０４における相対的に大きな信号なまりを、低減することができる。即ち、二つの走査線駆動回路１０４ａ及び１０４ｂに対して、殆ど同じような各種信号を第１の分岐配線部分１２１及び第２の分岐配線部分１２２を介して供給することが可能となる。これにより、画像表示領域１０ａにおける走査線駆動回路１０４ａ又は走査線駆動回路１０４ｂ寄りであるか否かに寄らずに、均一な画像を表示することが容易となり、画像表示領域における面内の表示ムラを低減することが可能となる。
【００５６】
更に、データ線駆動回路１０１は、第１辺（図３中、下辺）に沿って配置されている。複数のデータ線駆動用配線１３０は夫々、データ線駆動回路１０１よりも第１辺（図３中、下辺）における基板の縁に近い側の領域部分において二つに分岐している。そして、第１の分岐配線部分１３１が、データ線駆動回路の一辺１０１ａ（図３中、左辺）へ引き回されていると共に第２の分岐配線部分１３２がデータ線駆動回路の他辺１０１ｂ（図３中、右辺）へ引き回されている。よって、データ線駆動回路１０１における一辺１０１ａと他辺１０１ｂとの間をつなぐように、データ線駆動回路１０１の内部に配線された引回配線を介して、クロック信号、制御信号、電源信号等の各種信号を、データ線駆動回路の一辺１０１ａを経由して他辺１０１ｂへ、又は他辺１０１ｂを経由して一辺１０１ａへ引き回す必要がない。よって、このようなデータ線駆動回路１０１の内部に配線された引回配線による、データ線駆動回路１０１の一辺１０１ａから他辺１０１ｂに、又は他辺１０１ｂから一辺１０１ａに至るまでの配線抵抗の相異や配線インピーダンスの相異、言い換えれば、データ線駆動回路の一辺１０１ａ及び他辺１０１ｂ相互間における信号レベルの相違を低減することができる。即ち、データ線駆動回路における第２辺に沿った辺の両方に対して、殆ど同じような各種信号を第１の分岐配線部分１３１及び第２の分岐配線部分１３２を介して供給することが可能となる。特に同じような電源信号をデータ線駆動回路の一辺１０１ａ及び他辺１０１ｂの両方に対して供給することにより、データ線駆動回路１０１の動作を安定させることができる。
【００５７】
尚、複数のデータ線駆動用配線１３０は、そのうち一部のみである１本又は複数本だけが夫々、上述の如く分岐していてもよいし、そのうち全てが夫々、上述の如く分岐していてもよい。同様に、複数の走査線駆動用配線１２０についても、そのうち一部のみである１本又は複数本だけが夫々、上述の如く分岐していてもよいし、そのうち全てが夫々、上述の如く分岐していてもよい。
【００５８】
図５は、図３におけるＳ−Ｓ’断面図及びＴ−Ｔ’断面図であり、図６は、本実施形態の変形例における図５と同趣旨の断面図である。本実施形態に係る電気光学装置において、図５に示すように、第２の分岐配線部分１２２は、外部回路接続端子１０２に直接接続された分岐前の配線部分１２３と同一の第１導電膜から形成されており、第１の分岐配線部分１２１は、この第１導電膜に対して第３層間絶縁膜４３を介して別層として形成された第２導電膜から形成されている。これとは反対に、図６に示すように、第１の分岐配線部分１２１が、第１導電膜から形成され、第２の分岐配線部分１２２が、第２の導電膜から形成されてもよい。特に、図５から分かるように、ＴＦＴアレイ基板１０上には、順に、下地絶縁膜１２、第１層間絶縁膜４１、第２層間絶縁膜４２、第３層間絶縁膜４３、第４層間絶縁膜４４が、この順に積層されている。第２層間絶縁膜４２上に積層された第２の導電膜から、第１の分岐配線部分１２１が形成されている。第３層間絶縁膜４３上に積層された第２の導電膜から、第２の分岐配線部分１２２、分岐前の配線部分１２３及びこれに一体的に接続された外部回路接続端子１０２が夫々形成されている。層間絶縁膜４３の表面は、例えばＣＭＰ（Chemical Mechanical Polishing：化学的機械研磨）等の平坦化処理が施されている。但し、このような平坦化処理が施されていなくても構わない。
【００５９】
このようにＴＦＴアレイ基板１０上に、このように複数の層間絶縁膜及び導電膜が積層されているので、これらを利用して、更にこれらの層間に積層される他の導電膜や半導体膜等を利用して、ＴＦＴ等の各種回路を、ＴＦＴアレイ基板１０上における画像表示領域内に作り込むことが可能となり、これと同一又は別機会に、ＴＦＴ等の各種回路を含んで成るデータ線駆動回路１０１、走査線駆動回路１０４等の周辺回路を作り込むことが可能となる。
【００６０】
このように、第１の分岐配線部分１２１及び第２の分岐配線部分１２２は、別層として形成された第１及び第２導電膜から形成されている。従って、分岐後において第１の分岐配線部分１２１及び第２の分岐配線部分１２２のいずれかは、他の引回し配線の下層側や上層側を経由して、ＴＦＴアレイ基板１０上で平面的に見て該他の配線と交差する平面レイアウトを採ることが可能となり、比較的容易にして設計自由度が格段に増大する。
【００６１】
図５において、第１の分岐配線部分１２１は、第２の分岐配線部分１２２に対して第３の層間絶縁膜４３に開孔されたコンタクトホール２０ｂを介して電気的に接続されている。従って、走査線駆動回路用配線１２０について、分岐前の配線部分１２３から第１の分岐配線部分１２１及び第２の分岐配線部分１２２への電気的な接続を、確実にとることが可能となる。
【００６２】
加えて、図３及び図５に示すように、第１の分岐配線部分１２１は、ＴＦＴアレイ基板１０上で平面的に見て、複数の引回配線１４０の一部と第３の層間絶縁膜４３を介して交差する。従って、走査線駆動回路用配線１２０の分岐前の配線部分１２３やデータ線駆動回路用配線１３０の配線レイアウトに寄らずに自由に、第１の分岐配線部分１２１の平面レイアウトを設定することができるので、実践上大変便利である。
【００６３】
第２の分岐配線部分１２２についても同様に、複数の引回配線１４０の一部と層間絶縁層４３を介して交差するので、他の引き回し配線に寄らずに自由に、第２の分岐配線部分１２２の平面レイアウトを設定することができる。
【００６４】
本実施形態では、更に、第１の分岐配線部分１２１及び第２の分岐配線部分１２２は、相互に異なる材料からなり、相互に配線幅、配線厚及び配線長が同じであると仮定した場合に比べて、配線抵抗及び配線インピーダンスのうち少なくとも一方が相互に近付くように、配線幅、配線厚及び配線長のうち少なくとも一つが調整されている。よって、第１の分岐配線部分１２１及び第２の分岐配線部分１２２の配線抵抗や配線インピーダンスを一致させることができる。これにより、二つの走査線駆動回路１０４ａ及び１０４ｂに対して、信号遅延や信号なまりが無く、同一の各種信号を供給可能となる。
【００６５】
この場合において、第１の分岐配線部分１２１及び第２の分岐配線部分１２２を例えば安価且つ低抵抗のアルミニウム（Ａｌ）の如き、同一材料から構成し、配線幅及び配線厚のうち少なくとも一つを調整してもよい。
【００６６】
このとき更に、コンタクトホール２０ｂの存在に起因する配線抵抗の相異を相殺するように配線幅、配線厚及び配線長のうち少なくとも一つを調整するとよい。コンタクトホール２０ｂの存在に起因した配線抵抗の相異までも考慮した上で、第１の分岐配線部分１２１及び第２の分岐配線部分１２２の配線抵抗や配線インピーダンスを一致させることができる。
＜第２実施形態＞
第２実施形態に係る電気光学装置について、図７及び図８を参照して説明する。ここに図７は、第２実施形態における図３と同趣旨の図であり、図８は、第２実施形態に係る比較例における図３と同趣旨の図である。尚、図７及び図８において、図３に示した第１実施形態に係る構成要素と同様の構成要素に同一の参照符合を付し、それらの説明は適宜省略する。
【００６７】
図７に示すように第２実施形態は、複数の外部回路接続端子１０２のうち、複数の走査線駆動回路用配線１２０に夫々接続された複数の走査線駆動回路用端子１０２ｙは、複数のデータ線駆動回路用配線１３０に夫々接続された複数のデータ線駆動回路用端子１０２ｘよりも、第１辺（図７中、下辺）において中央寄りに配置されている。その他の構成については、図３に示した第１実施形態と概ね同様である。
【００６８】
このように構成すれば、複数の走査線駆動回路用端子１０２ｙは、複数のデータ線駆動回路用端子１０２ｘよりも第１辺（図７中、下辺）において中央寄りに配置されているので、複数の走査線駆動回路用端子１０２ｙが第１辺（図７中、下辺）のいずれかの端寄りに配置されている場合、例えば、図８に示した第２実施形態の比較例のように複数の走査線駆動回路用端子１０２ｙが第１辺（図８中、下辺）の一端（図８中、左端）寄りに配置されている場合、と比較して、第１辺（図７中、下辺）から第２辺（図７中、左辺及び右辺）に向けて両側に分岐される第１の分岐配線部分１２１及び第２の分岐配線部分１２２の配線抵抗や配線インピーダンスを、揃えることが可能となる。即ち、比較的容易にして、二つの走査線駆動回路１０４に対して、信号遅延や信号なまりが低減された各種信号を引回配線を介して供給することが可能となる。
＜電子機器＞
次に、上述した電気光学装置である液晶装置を各種の電子機器に適用する場合について説明する。
【００６９】
まず、この液晶装置をライトバルブとして用いたプロジェクタについて説明する。図９は、プロジェクタの構成例を示す平面図である。この図９に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７０】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７１】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００７２】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００７３】
次に、液晶装置を、モバイル型のパーソナルコンピュータに適用した例について説明する。図１０は、このパーソナルコンピュータの構成を示す斜視図である。図１０において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００７４】
さらに、液晶装置を、携帯電話に適用した例について説明する。図１１は、この携帯電話の構成を示す斜視図である。図１１において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００７５】
尚、図９から図１１を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００７６】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００７７】
【図１】本発明の第１実施形態に係る、電気光学装置の全体構成を示す平面図である。
【図２】図１のＨ−Ｈ’の断面図である。
【図３】本発明の第１実施形態に係る、電気光学装置の引回配線の平面レイアウトを説明する平面図である。
【図４】第１実施形態の比較例における図３と同趣旨の平面図である。
【図５】図３におけるＳ−Ｓ’断面図及びＴ−Ｔ’断面図である。
【図６】第１実施形態の変形例における図５と同趣旨の断面図である。
【図７】第２実施形態における図３と同趣旨の平面図である。
【図８】第２実施形態の比較例における図３と同趣旨の平面図である。
【図９】電気光学装置を適用した電子機器の一例たるプロジェクタの構成を示す平面図である。
【図１０】電気光学装置を適用した電子機器の一例たるパーソナルコンピュータの構成を示す斜視図である。
【図１１】電気光学装置を適用した電子機器の一例たる携帯電話の構成を示す斜視図である。
【符号の説明】
【００７８】
１０…ＴＦＴアレイ基板、９ａ…画素電極、１０ａ…画像表示領域、２０…対向基板、２１…対向電極、５０…液晶層、５２…シール材、５３…額縁遮光膜、１０１…データ線駆動回路、１０２、１０２ｘ、１０２ｙ…外部回路接続端子、１０４、１０４ａ、１０４ｂ…走査線駆動回路、１０５…配線、１０６…上下導通端子、１２０、１２１、１２２、１２３…走査線駆動用配線、１３０…データ線駆動用配線、１４０…引回配線
【図１】
2006178022.tif 000003
【図２】
2006178022.tif 000004
【図３】
2006178022.tif 000005
【図４】
2006178022.tif 000006
【図５】
2006178022.tif 000007
【図６】
2006178022.tif 000008
【図７】
2006178022.tif 000009
【図８】
2006178022.tif 000010
【図９】
2006178022.tif 000011
【図１０】
2006178022.tif 000012
【図１１】
2006178022.tif 000013